(57)【要約】【課題】複数の電力量計に対する局番の設定を容易にすること。【解決手段】各電力量計１１ａ，１１ｂ，１１ｃは、操作部に対する操作（ボタン押下）に応じて局番の設定動作を行う。その設定動作において、各電力量計１１ａ〜１１ｃは、自電力量計に設定予定の予定局番を含むコマンドを他の電力量計に送信する。電力量計１１ａ〜１１ｃは、コマンドに対するレスポンスを所定時間内に受信した場合に予定局番を変更し、変更後の予定局番を含むコマンドを他の電力量計に送信する。電力量計１１ａ〜１１ｃは、コマンドに対するレスポンスを所定時間内に受信しない場合に予定局番を自電力量計の局番に設定する。【選択図】図３
2016005418.tif 000002
【特許請求の範囲】
【請求項１】
他の電力量計とシリアル通信の通信ケーブルを介して接続されて電力計測システムを構成する電力量計であって、
前記他の電力量計とシリアル通信する通信部と、
操作入力を受け付ける操作部と、
前記操作部に対する操作に基づいて、前記通信部を介して前記他の電力量計とシリアル通信して自電力量計の局番を設定する制御部と、
前記局番を記憶する記憶部と
を有し、
前記制御部は、
自電力量計に設定予定の予定局番を含むコマンドを前記他の電力量計に送信し、
前記コマンドに対するレスポンスを所定時間内に受信しない場合に前記予定局番を前記局番に設定し、
前記コマンドに対するレスポンスを所定時間内に受信した場合に前記予定局番を変更し、変更後の前記予定局番を含むコマンドを前記他の電力量計に送信すること、
を特徴とする電力量計。
【請求項２】
前記制御部は、前記他の電力量計から受信したコマンドの予定局番が自電力量計に設定した前記局番と一致する場合に受信した前記コマンドに対するレスポンスを前記通信部を介して送信すること、
を特徴とする請求項１に記載の電力量計。
【請求項３】
報知部を有し、
前記制御部は、前記局番の設定を前記報知部により報知すること、
を特徴とする請求項１または２に記載の電力量計。
【請求項４】
測定対象の電力量を計測する計測部と、
前記計測部の計測結果を表示する表示部と、
を有し、
前記制御部は、設定した前記局番を前記表示部に表示すること、
を特徴とする請求項１または２に記載の電力量計。
【請求項５】
前記記憶部には初期値が設定され、
前記制御部は、前記操作部に対する操作に基づいて前記記憶部から読み出した前記初期値を前記予定局番として前記コマンドを送信すること、
を特徴とする請求項１〜４のいずれか一項に記載の電力量計。
【請求項６】
前記記憶部には、前記予定局番を変更するための探索情報が記憶され、
前記制御部は、前記探索情報にしたがって前記予定局番を増加または減少させること、
を特徴とする請求項１〜５のいずれか一項に記載の電力量計。
【請求項７】
前記制御部は、前記予定局番を初期値から順次減少させて前記コマンドを送信し、前記レスポンスを受信した場合に前回送信したコマンドの予定局番を前記局番として設定すること、
を特徴とする請求項１〜５のいずれか一項に記載の電力量計。
【請求項８】
他の電力量計とシリアル通信の通信ケーブルを介して接続されて電力計測システムを構成する電力量計の局番設定方法であって、
自電力量計に設定予定の予定局番を含むコマンドを前記他の電力量計に送信し、
前記コマンドに対するレスポンスを所定時間内に受信しない場合に前記予定局番を自電力量計の局番に設定し、
前記コマンドに対するレスポンスを所定時間内に受信した場合に前記予定局番を変更し、変更後の前記予定局番を含むコマンドを前記他の電力量計に送信すること、
を特徴とする電力量計の局番設定方法。
【請求項９】
監視端末と中継装置とが第１の通信ケーブルを介して接続され、前記中継装置と複数の電力量計が前記第１の通信ケーブルの通信規格と異なる通信規格の第２の通信ケーブルを介して接続され、前記複数の電力量計のうちの前記中継装置からの送信要求に含まれる局番に対応する電力量計は、前記送信要求に応答して計測結果を含むデータを送信する、電力計測システムであって、
前記複数の電力量計はそれぞれ、
前記他の電力量計と前記第２の通信ケーブルを介してシリアル通信する通信部と、
操作入力を受け付ける操作部と、
前記操作部に対する操作に基づいて、前記通信部を介して前記他の電力量計とシリアル通信して自電力量計の局番を設定する制御部と、
前記局番を記憶する記憶部と
を有し、
前記制御部は、
自電力量計に設定予定の予定局番を含むコマンドを前記他の電力量計に送信し、
前記コマンドに対するレスポンスを所定時間内に受信しない場合に前記予定局番を前記局番に設定し、
前記コマンドに対するレスポンスを所定時間内に受信した場合に前記予定局番を変更し、変更後の前記予定局番を含むコマンドを前記他の電力量計に送信すること、
を特徴とする電力計測システム。
【発明の詳細な説明】
【技術分野】
【０００１】
本発明は、電力量計、電力計測システム、電力量計の局番設定方法に関する。
【背景技術】
【０００２】
従来、たとえばビルや工場等において、電気設備等での消費電力を監視するために、各設備に電力量計が設けられている（たとえば、特許文献１参照）。複数の電力量計による計測結果をたとえばパーソナルコンピュータ等により管理する場合、個々の電力量計を識別する必要がある。このため、各電力量計には、互いに異なる局番（アドレス）が手動で設定される。
【先行技術文献】
【特許文献】
【０００３】
【特許文献１】特開２００９−１０４５５４公報
【発明の概要】
【発明が解決しようとする課題】
【０００４】
ところで、手動による局番の設定では、複数の電力量計に同じ局番が設定されるおそれがある。複数の電力量計において局番が重複すると、計測結果の取得等においてエラーが発生し、システム全体の計測結果を管理することが難しい。
【０００５】
本発明は、上記課題を解決するためになされたものであって、その目的は、複数の電力量計に対する局番の設定を容易にすることにある。
【課題を解決するための手段】
【０００６】
上記課題を解決する電力量計は、他の電力量計とシリアル通信の通信ケーブルを介して接続されて電力計測システムを構成する電力量計であって、前記他の電力量計とシリアル通信する通信部と、操作入力を受け付ける操作部と、前記操作部に対する操作に基づいて、前記通信部を介して前記他の電力量計とシリアル通信して自電力量計の局番を設定する制御部と、前記局番を記憶する記憶部とを有し、前記制御部は、自電力量計に設定予定の予定局番を含むコマンドを前記他の電力量計に送信し、前記コマンドに対するレスポンスを所定時間内に受信しない場合に前記予定局番を前記局番に設定し、前記コマンドに対するレスポンスを所定時間内に受信した場合に前記予定局番を変更し、変更後の前記予定局番を含むコマンドを前記他の電力量計に送信する。
【０００７】
この構成によれば、送信したコマンドに対してレスポンスを受信しない場合に、その送信したコマンドの予定局番を自電力量計の局番として設定する。レスポンスがない、つまりコマンドに設定した予定局番を設定した電力量計がないため、複数の電力量計に対して互いに異なる局番が設定される。
【０００８】
上記の電力量計において、前記制御部は、前記他の電力量計から受信したコマンドの予定局番が自電力量計に設定した前記局番と一致する場合に受信した前記コマンドに対するレスポンスを前記通信部を介して送信することが好ましい。この構成によれば、設定した局番と等しい予定局番を含むコマンドを受信した電力量計はレスポンスを送信する。したがって、レスポンスを送信する電力量計は、通信ケーブルを介して接続された複数の電力量計のうちの１つである。このため、同時に複数の電力量計がレスポンスを送信しないので、各電力量計の間のシリアル通信において、通信エラーの発生が抑制される。
【０００９】
上記の電力量計において、報知部を有し、前記制御部は、前記局番の設定を前記報知部により報知することが好ましい。この構成によれば、各電力量計において局番の設定終了を容易に確認することが可能となる。
【００１０】
上記の電力量計において、測定対象の電力量を計測する計測部と、前記計測部の計測結果を表示する表示部と、を有し、前記制御部は、設定した前記局番を前記表示部に表示することが好ましい。この構成によれば、各電力量計において局番の設定終了と、その設定を終了した電力量計における局番を容易に確認することが可能となる。
【００１１】
上記の電力量計において、前記記憶部には初期値が設定され、前記制御部は、前記操作部に対する操作に基づいて前記記憶部から読み出した前記初期値を前記予定局番として前記コマンドを送信することが好ましい。この構成によれば、各電力量計において「１」を初期値として設定動作を開始する場合と比べ、レスポンスを受信しない予定局番となるまでの時間が短くなる。このため、局番の設定に要する時間の短縮が可能となる。
【００１２】
上記の電力量計において、前記記憶部には、前記予定局番を変更するための探索情報が記憶され、前記制御部は、前記探索情報にしたがって前記予定局番を増加または減少させることが好ましい。この構成によれば、各電力量計に対して局番が増加するように設定することと、局番が減少するように設定すること、が可能となる。
【００１３】
上記の電力量計において、前記制御部は、前記予定局番を初期値から順次減少させて前記コマンドを送信し、前記レスポンスを受信した場合に前回送信したコマンドの予定局番を前記局番として設定することが好ましい。この構成によれば、たとえば既存の電力計測システムに対して電力量計を追加した場合、その追加した電力量計の局番を、既存の電力計測システムに含まれる電力量計の局番に対して連続的に設定することが可能となる。
【００１４】
上記課題を解決する電力量計の局番設定方法は、他の電力量計とシリアル通信の通信ケーブルを介して接続されて電力計測システムを構成する電力量計の局番設定方法であって、自電力量計に設定予定の予定局番を含むコマンドを前記他の電力量計に送信し、前記コマンドに対するレスポンスを所定時間内に受信しない場合に前記予定局番を自電力量計の局番に設定し、前記コマンドに対するレスポンスを所定時間内に受信した場合に前記予定局番を変更し、変更後の前記予定局番を含むコマンドを前記他の電力量計に送信する。
【００１５】
この構成によれば、送信したコマンドに対してレスポンスを受信しない場合に、その送信したコマンドの予定局番を自電力量計の局番として設定する。レスポンスがない、つまりコマンドに設定した予定局番を設定した電力量計がないため、複数の電力量計に対して互いに異なる局番が設定される。
【００１６】
上記課題を解決する電力計測システムは、監視端末と中継装置とが第１の通信ケーブルを介して接続され、前記中継装置と複数の電力量計が前記第１の通信ケーブルの通信規格と異なる通信規格の第２の通信ケーブルを介して接続され、前記複数の電力量計のうちの前記中継装置からの送信要求に含まれる局番に対応する電力量計は、前記送信要求に応答して計測結果を含むデータを送信する、電力計測システムであって、前記複数の電力量計はそれぞれ、前記他の電力量計と前記第２の通信ケーブルを介してシリアル通信する通信部と、操作入力を受け付ける操作部と、前記操作部に対する操作に基づいて、前記通信部を介して前記他の電力量計とシリアル通信して自電力量計の局番を設定する制御部と、前記局番を記憶する記憶部とを有し、前記制御部は、自電力量計に設定予定の予定局番を含むコマンドを前記他の電力量計に送信し、前記コマンドに対するレスポンスを所定時間内に受信しない場合に前記予定局番を前記局番に設定し、前記コマンドに対するレスポンスを所定時間内に受信した場合に前記予定局番を変更し、変更後の前記予定局番を含むコマンドを前記他の電力量計に送信する。
【００１７】
この構成によれば、送信したコマンドに対してレスポンスを受信しない場合に、その送信したコマンドの予定局番を自電力量計の局番として設定する。レスポンスがない、つまりコマンドに設定した予定局番を設定した電力量計がないため、複数の電力量計に対して互いに異なる局番が設定される。
【発明の効果】
【００１８】
本発明によれば、複数の電力量計に対して局番を容易に設定することができる。
【図面の簡単な説明】
【００１９】
【図１】電力計測システムのブロック図である。
【図２】電力量計の構成を示すブロック図である。
【図３】局番の設定処理を示すシーケンス図である。
【図４】別の電力量計の構成を示すブロック図である。
【図５】別の電力量計の構成を示すブロック図である。
【発明を実施するための形態】
【００２０】
以下、一実施形態を説明する。
図１に示すように、この電力計測システムは、複数（図では３つ）の電力量計１１、データ蓄積装置１２、監視端末１３を有している。
【００２１】
電力量計１１は、通信ケーブル１４を介して互いに通信可能に接続されている。通信ケーブル１４は、所定のシリアル通信規格に応じたケーブルである。シリアル通信規格は、たとえばＲＳ−４８５規格，ＲＳ−２３２Ｃ規格、等である。電力量計１１は、所定のシリアル通信規格（たとえばＲＳ−４８５規格）に基づいて、たとえば半二重シリアル通信にて相互に通信する。
【００２２】
また、電力量計１１は、通信ケーブル１４を介してデータ蓄積装置１２と接続されている。したがって、各電力量計１１とデータ蓄積装置１２は、所定のシリアル通信規格により相互に通信する。
【００２３】
データ蓄積装置１２は、ローカルエリアネットワークのケーブル１５を介して監視端末１３と通信可能に接続されている。
各電力量計１１は、測定対象（電気機器等の負荷）の電力量を計測し、計測データを生成する。計測データは、計測結果つまり測定対象の電力量を示すデータ（電力量データ）と、各電力量計１１を識別するための情報を含む。この識別情報は、たとえば各電力量計１１の局番（アドレス）である。
【００２４】
データ蓄積装置は、たとえば接続された電力量計１１による単位時間当たりの計測データを蓄積する。
監視端末１３は、たとえばパーソナルコンピュータである。監視端末１３は、データ蓄積装置１２に蓄積された計測データを読み出し、計測データの表示、解析等を行う。計測データは、各電力量計１１により測定した電力量と、各電力量計１１を識別する局番（アドレス）を含む。たとえば、監視端末１３は、局番（アドレス）にしたがって、測定対象毎に計測データ（電力量）を表示する。
【００２５】
図２に示すように、電力量計１１は、制御部２１、通信部２２、計測部２３、記憶部２４、表示部２５、操作部２６を有している。
計測部２３は、測定対象（電気機器等の負荷）に電力を供給する電力線における電流、電圧等を計測し、その計測結果に基づいて測定対象における電力量を示す電力量データを生成する。
【００２６】
操作部２６は、操作入力を受け付けるために設けられ、複数のキーを含む。操作部２６は、操作されたキーに応じた信号を出力する。制御部２１は、操作部２６の操作に基づいて、表示部２５の表示の切り替え、等の処理を実行する。また、操作部２６は、電力量計１１の電源をオンオフする電源スイッチを含む。また、操作部２６は、電源をオンオフするための外部信号を受け付ける機能を有している。たとえば、図１に示すデータ蓄積装置１２や他の電力量計１１の電源オンオフに応じて出力される制御信号に基づいて、自電力量計１１の電源をオンオフする。
【００２７】
通信部２２は、所定のシリアル通信（たとえばＲＳ−４８５）により、図１に示す通信ケーブル１４を介して他の電力量計１１やデータ蓄積装置１２と通信する。
表示部２５は、たとえば液晶表示器とその液晶表示器を駆動する駆動回路を有している。表示部２５は、制御部２１からの指示に基づいて、電力量データ等を表示する。
【００２８】
制御部２１は、中央演算処理装置（ＣＰＵ）やアナログデジタル変換器（ＡＤＣ）等を有し、メモリに記憶しているプログラムを実行することにより、表示部２５や通信部２２等を制御する。たとえば、制御部２１は、操作部２６の操作に応じて、計測結果の表示、図１に示す他の電力量計１１やデータ蓄積装置１２との通信、等の処理を実行する。
【００２９】
記憶部２４は、ＲＡＭ（random access memory）などの揮発性メモリや例えばＥＥＰＲＯＭ（electrically erasable and programmable read-only memory）などの不揮発性メモリで構成されている。記憶部２４は、制御部２１によって電力量データの書き込み及び読み出しが行わる。また、記憶部２４には、自電力量計１１の情報（計測のための設定値や識別情報（局番）等）が記憶される。
【００３０】
また、制御部２１は、局番（アドレス）の設定処理を実行する。制御部２１は、操作部２６の操作にしたがって設定処理を実行し、自電力量計１１の局番（アドレス）を設定する。記憶部２４には、局番を探索するための情報（探索情報）が記憶される。探索情報は、局番を探索する探索方向、探索ステップ、等を含む。制御部２１は、図１に示す他の電力量計１１との間でシリアル通信し、探索情報にしたがって未設定の局番を探索する。そして、制御部２１は、探索した局番を設定、たとえば記憶部２４に格納する。
【００３１】
また、制御部２１は、通信部２２を介して図１に示すデータ蓄積装置１２からのコマンド（たとえば、計測データの送信要求）に基づいて、計測データを送信する。たとえば、制御部２１は、記憶部２４から局番と電力量データを読み出し、局番と電力量データを含む計測データを生成する。そして、制御部２１は、通信部２２を介して計測データを送信する。
【００３２】
次に、上記の電力量計の作用を説明する。
図３は、電力量計における局番（アドレス）の設定動作を示すシーケンス図である。なお、設定動作に際して３つの電力量計１１を区別するために、各電力量計の符号を１１ａ，１１ｂ，１１ｃとする。
【００３３】
まず、電力量計１１ａ〜１１ｃの電源をオンする。たとえば、電力量計１１ａの電源スイッチを操作し、この電力量計１１ａの電源をオンする。各電力量計１１ａ〜１１ｃは、渡り線により接続され、この渡り線により電源投入のための制御信号が伝達される。電力量計１１ｂ，１１ｃは、電力量計１１ａの出力する制御信号により電源をオンする。なお、各電力量計１１ａ〜１１ｃの操作部を操作して電源をオンしてもよい。
【００３４】
続いて、電力量計１１ａの操作部２６を操作（ボタンの押下）する。電力量計１１ａは、その操作部２６の操作に基づいて、自電力量計に設定予定の局番（以下予定局番）を含むコマンドを送信する。このコマンドは、コマンドに含まれる予定局番と等しい局番が設定されているかを問い合わせるためのものである。設定された局番と等しい予定局番を含むコマンドを受け取った電力量計は、そのコマンドに対応するレスポンスを送信する。つまり、電力量計１１ａは、コマンドを送信して未設定の局番を探索する。
【００３５】
たとえば、電力量計１１ａは、予定局番を初期値（たとえば「１」）としたコマンドを送信する。各電力量計１１ａ〜１１ｃは、初期状態において局番が設定されていない。したがって、電力量計１１ｂ，１１ｃはレスポンスを送信しない。
【００３６】
コマンドを送信した電力量計１１ａは、コマンドを送信してから経過時間を計測する。そして、電力量計１１ａは、所定時間内にレスポンスを受信しない場合、送信したコマンドの局番「１」の電力量計が無いと判定し、この局番「１」を自電力量計１１ａに設定する。そして、電力量計１１ａは、設定した局番「１」を表示部２５に表示する。作業者は、電力量計１１ａに局番「１」が表示されると、この電力量計１１ａにおける局番の設定が終了したと認識する。
【００３７】
次に、電力量計１１ｂの操作部２６を操作（ボタンの押下）する。電力量計１１ｂは、その操作部２６の操作に基づいて、予定局番を初期値（たとえば「１」）としたコマンドを送信する。この予定局番「１」のコマンドを受信した電力量計１１ａは、局番「１」を設定しているため、レスポンスを送信する。一方、予定局番「１」のコマンドを受信した電力量計１１ｃは、初期状態において局番が設定されていないため、レスポンスを送信しない。
【００３８】
電力量計１１ｂは、レスポンスを受信すると、探索方向を示す情報にしたがって予定局番を変更する。たとえば、探索方向を局番の増加方向とする。電力量計１１ｂは、探索方向にしたがって予定局番を「２」としたコマンドを送信する。この予定局番「２」のコマンドを受信した電力量計１１ａは、自身の局番が「１」であるため、レスポンスを送信しない。また、予定局番「２」のコマンドを受信した電力量計１１ｃは局番が設定されていないため、レスポンスを送信しない。
【００３９】
予定局番「２」のコマンドを送信した電力量計１１ｂは、コマンドを送信してから経過時間を計測する。そして、電力量計１１ｂは、所定時間内にレスポンスを受信しない場合、送信したコマンドの予定局番「２」の電力量計が無いと判定し、この局番「２」を自電力量計１１ｂに設定する。そして、電力量計１１ｂは、設定した局番「２」を表示部２５に表示する。作業者は、電力量計１１ｂに局番「２」が表示されると、この電力量計１１ｂにおける局番の設定が終了したと認識する。
【００４０】
次に、電力量計１１ｃの操作部２６を操作（ボタンの押下）する。電力量計１１ｃは、その操作部２６の操作に基づいて、予定局番を初期値（たとえば「１」）としたコマンドを送信する。この予定局番「１」のコマンドを受信した電力量計１１ａは、局番「１」を設定しているため、レスポンスを送信する。一方、予定局番「１」のコマンドを受信した電力量計１１ｂは、局番「２」を設定しているため、レスポンスを送信しない。
【００４１】
電力量計１１ｃは、レスポンスを受信すると、探索方向を示す情報にしたがって予定局番を変更する。たとえば、探索方向を局番の増加方向とする。電力量計１１ｃは、探索方向にしたがって予定局番を「２」としたコマンドを送信する。この予定局番「２」のコマンドを受信した電力量計１１ａは、自身の局番が「１」であるため、レスポンスを送信しない。一方、予定局番「２」のコマンドを受信した電力量計１１ｂは、局番「２」を設定しているため、レスポンスを送信する。
【００４２】
電力量計１１ｃは、レスポンスを受信すると、探索方向にしたがって予定局番を「３」としたコマンドを送信する。この予定局番「３」のコマンドを受信した電力量計１１ａは、自身の局番が「１」であるため、レスポンスを送信しない。同様に、予定局番「３」のコマンドを受信した電力量計１１ｂは、局番「２」を設定しているため、レスポンスを送信しない。
【００４３】
予定局番「３」のコマンドを送信した電力量計１１ｃは、コマンドを送信してから経過時間を計測する。そして、電力量計１１ｃは、所定時間内にレスポンスを受信しない場合、送信したコマンドの予定局番「３」の電力量計が無いと判定し、この局番「３」を自電力量計１１ｃに設定する。そして、電力量計１１ｃは、設定した局番「３」を表示部２５に表示する。作業者は、電力量計１１ｃに局番「３」が表示されると、この電力量計１１ｃにおける局番の設定が終了したと認識する。
【００４４】
このようにして、各電力量計１１ａ，１１ｂ，１１ｃに互いに異なる局番「１」「２」「３」が設定される。
図１に示すデータ蓄積装置１２は、先ず局番を順次設定し、各電力量計１１ａ〜１１ｃの計測データを読み出す。たとえば、データ蓄積装置１２は、設定した局番を含むコマンド（送信要求）を送信する。各電力量計１１ａ〜１１ｃのうち、送信要求に含まれる局番が設定された電力量計は、送信要求に応答して、局番と電力量データを含む計測データを送信する。各電力量計１１ａ〜１１ｃには、異なる局番「１」〜「３」が設定されているため、エラーが発生することなく、各電力量計１１ａ〜１１ｃの計測データを読み出すことができる。そして、データ蓄積装置１２では、計測データに含まれる局番により、各電力量計１１ａ〜１１ｃの計測データ（電力量データ）を区別して管理することができる。
【００４５】
以上記述したように、本実施形態によれば、以下の効果を奏する。
（１）電力量計１１は、他の電力量計１１とシリアル通信する通信部２２と、操作入力を受け付ける操作部２６と、操作部２６に対する操作に基づいて、通信部２２を介して他の電力量計１１とシリアル通信して自電力量計の局番を設定する制御部２１と、局番を記憶する記憶部２４とを有している。制御部２１は、自電力量計に設定予定の予定局番を含むコマンドを他の電力量計１１に送信する。制御部２１は、コマンドに対するレスポンスを所定時間内に受信した場合に予定局番を変更し、変更後の予定局番を含むコマンドを他の電力量計１１に送信する。そして、制御部２１は、コマンドに対するレスポンスを所定時間内に受信しない場合に予定局番を自電力量計の局番に設定する。
【００４６】
送信したコマンドに対してレスポンスを受信しない場合に、その送信したコマンドの予定局番を自電力量計の局番として設定する。レスポンスを受信しない場合、送信したコマンドの予定局番と等しい局番を設定した電力量計が存在しない。このため、この予定局番を局番として自電力量計に設定することで、他の電力量計の局番と異なる局番を設定することができる。したがって、通信可能に接続された複数の電力量計において、互いに異なる局番を容易に設定することができる。
【００４７】
（２）制御部２１は、他の電力量計１１から受信したコマンドの予定局番が設定した局番と一致する場合に受信したコマンドに対するレスポンスを、通信部２２を介して送信する。したがって、レスポンスを送信する電力量計は、通信ケーブル１４を介して接続された複数の電力量計１１のうちの１つである。このため、同時に複数の電力量計がレスポンスを送信しないので、各電力量計の間のシリアル通信において、通信エラーの発生を抑制することができる。
【００４８】
（３）各電力量計１１は、測定対象の電力量を計測する計測部２３と、計測部の計測結果を表示する表示部２５と、を有している。制御部２１は、設定した局番を表示部２５に表示する。したがって、各電力量計１１において局番の設定終了と、その設定を終了した電力量計１１における局番を容易に確認することができる。
【００４９】
尚、上記実施形態は、以下の態様で実施してもよい。
・上記実施形態では、局番（アドレス）の探索方向を、局番を増加させる方向としたが、局番を減少させる方向を探索方向としてもよい。この場合、局番の初期値は、接続可能な電力量計の台数や局番の値の最大値（たとえば、「９９」）に設定される。
【００５０】
・上記実施形態では、局番を探索する初期値を「１」としたが、適宜変更してもよい。また、初期値や探索方向を設定可能としてもよい。
たとえば、図４に示す電力量計３１は、制御部２１、通信部２２、計測部２３、記憶部２４、表示部２５、操作部２６、接続部２７を含み、この接続部２７に、外部の設定用端末３２が接続される。設定用端末３２は、設定のためのキー（数字キー等）を含む。この設定用端末３２を用いて、探索を開始する局番（初期値）、探索方向、探索ステップ、等の探索情報を設定する。なお、設定用端末３２と接続部２７との間は、有線通信または無線通信により接続される。
【００５１】
このような設定は、たとえば、既存の電力計測システムに電力量計を追加する場合に好適である。既存の電力計測システムでは、接続された複数の電力量計について、局番（アドレス）が設定されている。したがって、局番の探索を初期値「１」から探索すると、探索終了までに時間がかかる。このため、初期値を適宜設定することで、探索終了までの時間を短縮することができる。
【００５２】
たとえば、図１に示すローカルエリアネットワークのケーブル１５に複数のデータ蓄積装置を接続し、各データ蓄積装置にそれぞれ少なくとも１つの電力量計を接続した電力計測システムとする。データ蓄積装置に接続した電力量計毎に初期値を設定することで、データ蓄積装置に接続した電力量計のグループ毎に局番を設定することが可能となる。これにより、たとえば計測テータの局番から電力量計を容易に特定することが可能となる。
【００５３】
・上記各形態に対し、電力量計の構成を適宜変更してもよい。
図５は、電力量計の一例を示す。この電力量計４１は、制御部２１、通信部２２、計測部２３、記憶部２４、表示部２５、操作部２６、接続部２８を含み、この接続部２８は外部の記憶装置４２と接続される。記憶装置４２は、たとえばメモリカード等の可搬可能な記憶装置であり、接続部２８は、記憶装置４２を接続するためのスロットやコネクタ、インタフェース回路を含む。制御部２１は、操作部２６の操作に基づいて、記憶装置４２に電力量データ等を記憶する。この記憶装置４２をたとえば図１に示す監視端末１３にセットし、その監視端末１３により電力量データを表示する。これにより、図１に示すデータ蓄積装置１２やローカルエリアネットワークのケーブル１５を用いることなく、測定対象の監視が可能となる。
【００５４】
・上記形態では、所定時間内にレスポンスを受信しない場合に、そのときに送信したコマンドの局番を自電力量計に設定した。これに対し、たとえば電力量計を追加する場合などでは、レスポンスを受信しない場合に局番を変更し、レスポンスを受信したときに、そのときのコマンドの局番を探索方向とは逆に変更して設定してもよい。たとえば、探索方向を局番の減少方向とした場合、新たに追加した電力量計には、探索によって既存の電力計測システムに含まれる電力量計の局番の最大値「＋１」の局番が設定される。したがって、追加した電力量計に対して既存の電力量計と連続する局番の設定が可能となる。
【００５５】
・上記各形態では、設定した局番（アドレス）の値を表示部２５に表示したが、たとえば１つの発光ダイオード（ＬＥＤ）により設定終了を通知するようにしてもよい。また、設定中と設定終了とを液晶表示器やＬＥＤにより通知するようにしてもよい。
【符号の説明】
【００５６】
１１，１１ａ〜１１ｃ…電力量計、２１…制御部、２２…通信部、２３…計測部、２４…記憶部、２５…表示部、２６…操作部。
【図１】
2016005418.tif 000003
【図２】
2016005418.tif 000004
【図３】
2016005418.tif 000005
【図４】
2016005418.tif 000006
【図５】
2016005418.tif 000007